(57)【要約】【課題】組み付け作業性を向上するとともに操作部と開口との間のクリアランスを小さくし、且つ、操作部に対する操作力に確実に抗して本体部のずれを回避することができる車両用スイッチ装置を提供する。【解決手段】スイッチケース１に形成された開口１ｄから突出した状態とされ、当該開口１ｄに対する没入方向へ押圧操作されることにより車両に搭載された各種電装品を操作可能な操作部２と、該操作部２を操作可能に保持しつつスイッチケース１に取り付けられる本体部３と、先端に爪部４ａが形成された可撓性の延設部から成り、本体部３のスイッチケース１への取り付け動作の過程で撓んで操作部２が開口１ｄから突出した状態となるのを許容するとともに、当該本体部３が所定の取付位置に達すると復元して爪部４ａが本体部３とスイッチケース１とを係止させるものである。【選択図】図３
2008201148.tif 000002
【特許請求の範囲】
【請求項１】
車両に搭載された各種電装品を操作可能とするとともに、当該車両に取り付けられたスイッチケースを有した車両用スイッチ装置において、
前記スイッチケースに形成された開口から突出した状態とされ、当該開口に対する没入方向へ押圧操作されることにより当該車両に搭載された各種電装品を操作可能な操作部と、
該操作部を操作可能に保持しつつ前記スイッチケースに取り付けられるとともに、当該操作部に対する押圧操作を電気信号として車両側に送信するための回路部を収容した本体部と、
先端に爪部が形成された可撓性の延設部から成り、前記本体部のスイッチケースへの取り付け動作の過程で撓んで前記操作部が前記開口から突出した状態となるのを許容するとともに、当該本体部が所定の取付位置に達すると復元して前記爪部が当該本体部とスイッチケースとを係止させる係止手段と、
を具備したことを特徴とする車両用スイッチ装置。
【請求項２】
前記延設部は、前記本体部の側面から外側に向かって延設されるとともに、当該本体部が所定の取付位置に達すると、復元して前記スイッチケースの所定位置に形成された溝部に爪部が係止されるものであることを特徴とする請求項１記載の車両用スイッチ装置。
【請求項３】
前記延設部は、前記スイッチケースにおける前記本体部の取り付け面から内側に向かって延設されるとともに、当該本体部が所定の取付位置に達すると、復元して当該本体部に爪部が係止されるものであることを特徴とする請求項１記載の車両用スイッチ装置。
【請求項４】
前記本体部は、前記スイッチケース内における底面に取り付けられるとともに、前記係止手段は、当該本体部の下部を係止可能とされる一方、当該本体部の上部はネジ止めされることを特徴とする請求項１〜３の何れか１つに記載の車両用スイッチ装置。
【発明の詳細な説明】
【技術分野】
【０００１】
本発明は、車両に搭載された各種電装品を操作可能とするとともに、当該車両に取り付けられたスイッチケースを有した車両用スイッチ装置に関するものである。
【背景技術】
【０００２】
一般に、二輪車のハンドルバー先端には、運転者が把持して走行するための把持グリップ（以下、右側のスロットルグリップも含めて把持グリップという。）が設けられており、当該ハンドルバーにおける把持グリップと隣接した位置には、中空状に成形されたスイッチケースが固定されている。かかるスイッチケースは、車両に搭載された各種電装品を操作可能とする車両用スイッチ装置の筐体を成すものである。
【０００３】
また、スイッチケースは、例えば一対の半割り形状部品から成り、ハンドルバーの所定位置を挟み込む如くこれらを合致してボルト締めすることにより当該ハンドルバーに固定されるとともに、二輪車が搭載する種々電装品を操作するためのスイッチユニットが複数配設されている。各スイッチユニットは、図９に示すように、操作ボタンなどから成る操作部１０２と、該操作部１０２を操作可能に保持しつつスイッチケース１０１に取り付けられるとともに、当該操作部１０２に対する押圧操作を電気信号として車両側に送信するための接点等を収容した本体部１０３とを具備している。
【０００４】
操作部１０２は、同図に示すように、スイッチケース１０１に形成された開口１０１ａから突出した状態とされ、当該開口１０１ａに対する没入方向（同図中左方向）へ押圧操作されることにより当該車両に搭載された各種電装品を操作可能とされている。然るに、スイッチケース１０１における本体部１０３の取付位置には、内側に向かって突出したストッパ１０４が形成されており、操作部１０２に対する操作力で本体部１０３が同図中左方向へずれないようになっている。
【０００５】
即ち、本体部１０３は、その上部が図示しないネジ等によりネジ止めされ、スイッチケース１０１内に固定されているのであるが、操作部１０２に操作力が付与されると、ネジ止め箇所を中心とした回転モーメントが加わり、スイッチユニット全体が図中左方向へずれようとするため、ストッパ１０４にて本体部１０３を受け、スイッチユニットのずれを防止しているのである。ところで、本体部１０３の下部にもネジ止めを施せばストッパ１０４を不要とすることができるが、図示のように当該下部にはスペースがあまりないため、ネジ止め作業が事実上不可能となっている。尚、かかる先行技術は、文献公知発明に係るものでないため、記載すべき先行技術文献情報はない。
【発明の開示】
【発明が解決しようとする課題】
【０００６】
しかしながら、上記従来の車両用スイッチ装置においては、スイッチケース１０１における本体部１０３の取付位置にストッパ１０４が突出形成されているため、以下の如き問題があった。
すなわち、スイッチユニットをスイッチケース１０１内に組み付ける際、図１０に示すように、当該スイッチユニット全体を傾斜させてストッパ１０４との干渉を避けつつ開口１０１ａ側に移動させ、操作部１０２が開口１０１ａから突出した状態で水平状態に戻し、上部のネジ止めを行う必要があるため、組み付け作業性が悪くなってしまうという問題があった。
【０００７】
また、操作部１０２が傾斜した状態で開口１０１ａから突出されるので、開口１０１ａの寸法を操作部１０２の寸法より大きく設定せざるを得ず、組み付け後において、操作部１０２と開口１０１ａとの間のクリアランスが大きくなって見栄えが悪いという問題があった。尚、当該クリアランスが大きいと、そのクリアランスを介してスイッチケース１０１内に雨水や異物が侵入し易くなってしまうという不具合もある。
【０００８】
更に、上記の如くスイッチユニットが組み付けられるので、ストッパ１０４の高さ寸法をあまり大きく設定することができない。従って、ストッパ１０４にて本体部１０３を確実に受けるのが困難となっており、操作部１０２に操作力が付与されて、ネジ止め箇所を中心とした回転モーメントが加わった場合、スイッチユニット全体が図中左方向へずれてしまう虞がある。
【０００９】
本発明は、このような事情に鑑みてなされたもので、組み付け作業性を向上するとともに操作部と開口との間のクリアランスを小さくし、且つ、操作部に対する操作力に確実に抗して本体部のずれを回避することができる車両用スイッチ装置を提供することにある。
【課題を解決するための手段】
【００１０】
請求項１記載の発明は、車両に搭載された各種電装品を操作可能とするとともに、当該車両に取り付けられたスイッチケースを有した車両用スイッチ装置において、前記スイッチケースに形成された開口から突出した状態とされ、当該開口に対する没入方向へ押圧操作されることにより当該車両に搭載された各種電装品を操作可能な操作部と、該操作部を操作可能に保持しつつ前記スイッチケースに取り付けられるとともに、当該操作部に対する押圧操作を電気信号として車両側に送信するための回路部を収容した本体部と、先端に爪部が形成された可撓性の延設部から成り、前記本体部のスイッチケースへの取り付け動作の過程で撓んで前記操作部が前記開口から突出した状態となるのを許容するとともに、当該本体部が所定の取付位置に達すると復元して前記爪部が当該本体部とスイッチケースとを係止させる係止手段とを具備したことを特徴とする。
【００１１】
請求項２記載の発明は、請求項１記載の車両用スイッチ装置において、前記延設部は、前記本体部の側面から外側に向かって延設されるとともに、当該本体部が所定の取付位置に達すると、復元して前記スイッチケースの所定位置に形成された溝部に爪部が係止されるものであることを特徴とする。
【００１２】
請求項３記載の発明は、請求項１記載の車両用スイッチ装置において、前記延設部は、前記スイッチケースにおける前記本体部の取り付け面から内側に向かって延設されるとともに、当該本体部が所定の取付位置に達すると、復元して当該本体部に爪部が係止されるものであることを特徴とする。
【００１３】
請求項４記載の発明は、請求項１〜３の何れか１つに記載の車両用スイッチ装置において、前記本体部は、前記スイッチケース内における底面に取り付けられるとともに、前記係止手段は、当該本体部の下部を係止可能とされる一方、当該本体部の上部はネジ止めされることを特徴とする。
【発明の効果】
【００１４】
請求項１の発明によれば、係止手段は、本体部のスイッチケースへの取り付け動作の過程で撓んで操作部が開口から突出した状態となるのを許容するとともに、当該本体部が所定の取付位置に達すると復元して前記爪部が当該本体部とスイッチケースとを係止させるので、組み付け作業性を向上するとともに操作部と開口との間のクリアランスを小さくし、且つ、操作部に対する操作力に確実に抗して本体部のずれを回避することができる。
【００１５】
請求項２の発明によれば、延設部は、本体部の側面から外側に向かって延設されるとともに、当該本体部が所定の取付位置に達すると、復元してスイッチケースの所定位置に形成された溝部に爪部が係止されるので、スイッチケースには爪部を係止するための溝部が形成されていれば足り、既存のスイッチケースをほとんどそのまま流用することができる。
【００１６】
請求項３の発明によれば、延設部は、スイッチケースにおける本体部の取り付け面から内側に向かって延設されるとともに、当該本体部が所定の取付位置に達すると、復元して当該本体部に爪部が係止されるので、既存の本体部及び操作部をそのまま流用することができる。
【００１７】
請求項４の発明によれば、本体部は、スイッチケース内における底面に取り付けられるとともに、係止手段は、当該本体部の下部を係止可能とされる一方、当該本体部の上部はネジ止めされるので、ネジ止めが困難な箇所に対して係止手段による係止を行わせることができ、且つ、上部のネジ止めによってより確実に本体部を取り付けることができる。
【発明を実施するための最良の形態】
【００１８】
以下、本発明の実施形態について図面を参照しながら具体的に説明する。
本実施形態に係る車両用スイッチ装置は、二輪車に適用され当該二輪車が搭載する各種電装品を操作可能としたものであり、図１、２に示すように、ハンドルバーＨの先端に取り付けられた把持グリップＧと隣接して当該ハンドルバーＨに固定されたスイッチケース１を筐体としたものである。
【００１９】
スイッチケース１は、一対の半割り形状部品（上スイッチケース１ａ及び下スイッチケース１ｂ）を互いに合致させて構成されたものであり、ハンドルバーＨにおける把持グリップＧの隣接位置に対して挟み込みつつ、これらを合致させた後、ボルト締めすることにより当該位置に固定されるものである。かかる位置に固定されて、運転者が二輪車を走行中、把持グリップＧを把持したままスイッチ操作できるようになっている。
【００２０】
また、スイッチケース１には、例えば車両の前照灯と前方照射とを切り換えるためのディマースイッチボタンやターンシグナルスイッチボタン、及びホーンボタン等といった二輪車が搭載する各種電装品を操作可能とした複数の操作ボタンが突出形成されている。ここで、本実施形態においては、下スイッチケース１ｂの下部から下方に向かって膨出部１ｂａが一体的に形成されており、当該膨出部１ｂａには、二輪車の座席を開状態とするための操作スイッチが形成されている。
【００２１】
かかる操作スイッチは、図３、４に示すようなスイッチユニットＹから成り、操作部２と、該操作部２とは別体の本体部３と、該本体部３と一体的に形成された係止手段としての延設部４とを有しているとともに、スイッチケース１内における膨出部１ｂａの底面（即ち、スイッチケース１の底面）に組み付けられるものである。尚、操作部２及び本体部３は、樹脂成形品から成るものである。
【００２２】
操作部２は、本体部３に組み付けられるとともに、スイッチケース１（具体的には、下スイッチケース１ｂの膨出部１ｂａ）に形成された開口１ｄから突出した状態とされ、当該開口１ｄに対する没入方向（図３における左方向）へ押圧操作されることにより当該車両に搭載された電装品（本実施形態においてはシートロックを解除するための駆動機構）を操作可能なものである。
【００２３】
本体部３は、操作部２を操作可能（即ち、没入方向及び突出方向への押圧操作可能）に保持しつつスイッチケース１の底面（具体的には、下スイッチケース１ｂの膨出部１ｂａにおける底面）に取り付けられるとともに、当該操作部２に対する押圧操作を電気信号として車両側に送信するための回路部やリターンスプリング６を収容したものである。この回路部は、図５で示すように、操作部２に形成された可動接点５と、本体部３側の板材８に形成された固定接点６とから構成される。
【００２４】
即ち、操作部２が押圧操作されると、リターンスプリング６の付勢力に抗して没入方向（同図中左方向）に移動し、それに伴って可動接点５が固定接点６に接触して所定の電気回路が形成されるので、当該押圧操作を車両側に電気信号として送信することができるのである。尚、押圧操作後においては、操作部２がリターンスプリング６の付勢力により突出方向（同右方向）へ移動し、それに伴って可動接点５が固定接点６から離間するので、所定の電気回路が遮断され、電気信号の送信が停止する。
【００２５】
更に、本体部３には、図４に示すように、側方に突出した突出部３ａが一体的に形成されるとともに、該突出部３ａにはネジＮ（図７参照）を挿通させ得るネジ孔３ａａが形成されている。然るに、突出部３ａは、スイッチユニットＹがスイッチケース１内に組み付けられる際、本体部３の上部側に位置するよう設定されており、ネジ孔３ａａにネジＮを挿通させてネジ止めを図ることにより、当該本体部３の上部の固定を図り得るようになっている。
【００２６】
ここで、本実施形態における本体部３には、本体部３の側面（下面）から外側（下方）に向かって延設されるとともに、先端に爪部４ａが形成された可撓性の延設部４を有している。かかる延設部４は、スイッチユニットＹがスイッチケース１内に組み付けられる際、本体部３の下部側に位置する（底面に対向した位置する）もので、図６に示すように、本体部３のスイッチケース１への取り付け動作の過程で内側に撓むことにより、当該本体部３をスイッチケース１の底面上において略水平状態に維持することができるものである。
【００２７】
即ち、スイッチユニットＹを組み付けるには、同図（ａ）に示すように、スイッチケース１における膨出部１ｂａの底面に対し本体部３を押し付ければ、延設部４が内側に撓まむので、本体部３における側面（下面）全体が膨出部１ｂａの底面と接して略水平状態となり、そのまま当該底面上を摺動させれば、操作部３が傾かずに開口１ｄから突出した状態となるのである。
【００２８】
そして、本体部３が所定の取付位置に達すると、延設部４の爪部４ａがスイッチケース１の所定位置（膨出部１ｂａの底面）に形成された溝部１ｃの位置となるよう設定されており、図３に示すように、当該取付位置にて延設部４が復元して当該爪部４ａが溝部１ｃと係止され、これにより本体部３がスイッチケース１と係止することとなる。即ち、延設部４は、本体部３のスイッチケース１への取り付け動作の過程で内側に撓んで操作部２が開口１ｄから突出した状態となるのを許容するとともに、当該本体部３が所定の取付位置に達すると復元して元の状態（即ち、外側に向かって延設した状態）となり、これにより爪部４ａがスイッチケース１と係止するのである。以上の作用により、本体部３の下部がスイッチケース１内に固定されることとなる。
【００２９】
上記の如く延設部４による本体部３の下部の係止がなされた後、図７に示すように、当該本体部３における突出部３ａのネジ孔３ａａにネジＮを挿通させて上部をネジ止めする。これにより、本体部３は、スイッチケース１内における底面（特に、下部のネジ止めが困難とされる膨出部１ｂａの底面）に取り付けられるとともに、延設部４（係止手段）は、当該本体部３の下部を係止可能とされる一方、当該本体部３の上部はネジ止めされるので、ネジ止めが困難な箇所に対して延設部４による係止を行わせることができ、且つ、上部のネジ止めによってより確実に本体部３を取り付けることができる。
【００３０】
上記実施形態によれば、係止手段としての延設部４は、本体部３のスイッチケース１への取り付け動作の過程で撓んで操作部２が開口１ｄから突出した状態となるのを許容するとともに、当該本体部３が所定の取付位置に達すると復元して爪部４ａがスイッチケース１と係止するので、作業者は単に本体部３を底面に沿って摺動させれば係止がなされることとなり、組み付け作業性を向上することができる。
【００３１】
また、スイッチユニットＹを組み付ける際、操作部３が傾かずに開口１ｄから突出した状態とすることができるので、従来の如く傾斜させて取り付けるものに比べ、操作部２と開口１ｄとの間のクリアランスを小さくし、見栄えを向上させることができる。また、操作部２と開口１ｄとの間のクリアランスを小さくし得ることから、当該クリアランスからの雨水や異物の侵入を抑制することができる。
【００３２】
更に、係止手段としての延設部４により、スイッチケース１内における底面（特に、下部のネジ止めが困難とされる膨出部１ｂａの底面）に本体部３の下部を固定することができるので、操作部２に対する操作力に確実に抗して本体部３のずれを回避することができる。即ち、延設部４の内側への撓み寸法さえ確保できれば、爪部４ａの突出寸法をより大きく設定できるため、溝部１ｃとの係止を確実に且つ強固に行わせることができるのである。
【００３３】
また更に、延設部４は、本体部３の側面から外側に向かって延設されるとともに、当該本体部３が所定の取付位置に達すると、復元してスイッチケース１の所定位置に形成された溝部１ｃに爪部４ａが係止されるので、スイッチケース１には爪部４ａを係止するための溝部１ｃが形成されていれば足り、既存のスイッチケースをほとんどそのまま流用することができる。
【００３４】
尚、本実施形態に係る延設部４は、その爪部４ａがスイッチケース１に形成された溝部１ｃ（スイッチケース１の内外を連通する貫通孔から成る）に嵌入して係止されるようになっているが、溝部１ｃに代えて爪部４ａと係止し得る凹部等であってもよい。但し、爪部４ａの係止対象を貫通孔とすれば、スイッチケース１の外側から当該貫通孔を介してピン状部材等を挿通させることにより爪部４ａの係止を解くことができ、分解作業を容易に行わせることができる。
【００３５】
以上、本実施形態について説明したが、本発明はこれに限定されるものではなく、例えば図８に示すように、本体部３に係止手段としての延設部を形成せず、スイッチケース１（下スイッチケース１ｂの膨出部１ｂａ）側に延設部４’を設けるようにしてもよい。この場合、延設部４’は、スイッチケース１における本体部３’の取り付け面から内側（同図中上方）に向かって延設されるとともに、先端に先の実施形態と同様の爪部４’ａが形成される。
【００３６】
そして、スイッチユニットＹ’を取り付けるには、同図（ｂ）に示すように、膨出部１ｂａの底面に本体部３を押しつけて延設部４’をスイッチケース１の外側（図中下方）に撓ませてスイッチユニットＹ’全体を略水平状態とし、そのまま当該底面上を摺動させて所定の取付位置まで移動させれば、操作部３’が傾かずに開口１ｄから突出した状態となる（同図（ｃ）参照）。
【００３７】
かかる状態（本体部３’が所定の取付位置に達した状態）では、延設部４’が復元して本体部３’に爪部４’ａが係止するよう設定されており、これにより、本体部３’の下部がスイッチケース１に固定させることとなる。即ち、延設部４’は、先の実施形態と同様、本体部３’のスイッチケース１への取り付け動作の過程で外側に撓んで操作部２’が開口１ｄから突出した状態となるのを許容するとともに、当該本体部３’が所定の取付位置に達すると復元して元の状態（即ち、スイッチケース１の内側に向かって延設した状態）となり、これにより爪部４’ａが本体部３’と係止するのである。
【００３８】
上記の如き他の実施形態によれば、延設部４’は、スイッチケース１における本体部３’の取り付け面から内側に向かって延設されるとともに、当該本体部３’が所定の取付位置に達すると、復元して当該本体部３’に爪部４’が係止されるので、既存の本体部３’及び操作部２’から成るスイッチユニットＹ’をそのまま流用することができる。尚、本体部３’側に爪部４’が係止可能な凹部又は孔を形成するようにしてもよい。
【００３９】
更に、上記実施形態においては、本体部の下部を係止手段としての延設部にて係止する一方、上部をネジ止めしているが、当該上部を他の形態にて固定するようにしてもよい。また更に、上記実施形態においては、シートロックを解除するための駆動機構を操作すべき操作部を有したスイッチユニットに適用されているが、スイッチケース１に形成された他のスイッチユニットに適用するようにしてもよい。また、本実施形態においては、二輪車に適用されているが、他の車両（ＡＴＶや雪上車など）の車両用スイッチ装置に適用してもよい。
【産業上の利用可能性】
【００４０】
先端に爪部が形成された可撓性の延設部から成り、本体部のスイッチケースへの取り付け動作の過程で撓んで操作部が開口から突出した状態となるのを許容するとともに、当該本体部が所定の取付位置に達すると復元して爪部が当該本体部とスイッチケースとを係止させるための係止手段を具備した車両用スイッチ装置であれば、外観形状が異なるもの或いは他の機能が付加されたもの等にも適用することができる。
【図面の簡単な説明】
【００４１】
【図１】本発明の実施形態に係る車両用スイッチ装置を示す正面図
【図２】同車両用スイッチ装置を示す下面図
【図３】同車両用スイッチ装置の側面から見た一部破断図
【図４】同車両用スイッチ装置におけるスイッチユニットを示す正面図及び上面図
【図５】図４におけるＶ−Ｖ線断面図
【図６】同車両用スイッチ装置におけるスイッチユニットの本体部を取り付ける過程を示す模式図であって、（ａ）下スイッチケースの内部を上面から見た図、（ｂ）装置を側面から見た一部破断図
【図７】同車両用スイッチ装置におけるスイッチユニットの本体部を取り付けた状態を示す模式図であって、下スイッチケースの内部を上面から見た図
【図８】本発明の他の実施形態を示す断面模式図であって、（ａ）スイッチユニットを取り付ける前の状態、（ｂ）スイッチユニットを取り付ける過程、（ｃ）スイッチユニットを取り付けた状態を示す図
【図９】従来の車両用スイッチ装置にスイッチユニットを取り付けた状態を示すべく一部破断した模式図
【図１０】従来の車両用スイッチ装置にスイッチユニットを取り付ける過程を示すべく一部破断した模式図
【符号の説明】
【００４２】
１    スイッチケース
１ｃ  溝部
１ｄ  開口
２    操作部
３    本体部
４、４’  延設部（係止手段）
４ａ、４’ａ  爪部
５    可動接点（回路部）
６    固定接点（回路部）
７    リターンスプリング
８    板材
Ｎ    ネジ
Ｙ、Ｙ’    スイッチユニット
【図１】
2008201148.tif 000003
【図２】
2008201148.tif 000004
【図３】
2008201148.tif 000005
【図４】
2008201148.tif 000006
【図５】
2008201148.tif 000007
【図６】
2008201148.tif 000008
【図７】
2008201148.tif 000009
【図８】
2008201148.tif 000010
【図９】
2008201148.tif 000011
【図１０】
2008201148.tif 000012